(57)【特許請求の範囲】
【請求項１】
最小磁化反転単位が非強磁性領域を挟んで二次元的に配列されることにより、互いにほぼ平行な記録トラックが形成されており、
記録トラック長さ方向および幅方向にそれぞれ等間隔で配列した複数の最小磁化反転単位が形成されており、
特定のトラックに対し、それに隣接するトラックの最小磁化反転単位の設置位置は、記録トラック長さ方向において、該特定のトラックにおける隣接する最小磁化反転単位のほぼ中間位置とされ、
上記ほぼ中間位置は、上記特定トラックにおける隣接する最小磁化反転単位の中央から該最小磁化反転単位間の距離の多くとも１／６ずれた位置とされ、
上記ずれた位置は、上記特定トラックに隣接する一方のトラックの最小磁化反転単位が磁気ヘッドの進行方向であるのに対し、他方のトラックにおいては、磁気ヘッドの反進行方向である磁気記録媒体。
【請求項２】
前記最小磁化反転単位が垂直磁気記録材料から構成される請求項１記載の磁気記録媒体。
【請求項３】
請求項１又は２記載の磁気記録媒体に対し、磁気記録磁化情報の記録および再生を行う磁気記録再生方式。
【請求項４】
前記磁気記録媒体の互いに異なる複数の最小磁化反転単位に対し同時に記録を行い、前記磁気記録媒体の互いに異なる複数の最小磁化反転単位から同時に再生を行う請求項３記載の磁気記録再生方式。
【発明の詳細な説明】
【０００１】
【産業上の利用分野】
本発明は、磁気ディスク等の磁気記録媒体およびその記録再生方式に関する。
【０００２】
【従来の技術】
磁気ディスク装置では、大容量化が急速に進んでおり、また磁気ヘッドから発生する信号磁界により、磁気ディスクの記録層中に記録磁区列が形成される。磁気ディスクの面記録密度を向上するには、記録磁区をいかに微細化できるかがポイントである。
【０００３】
従来の磁気ディスクにおいて、記録層を構成する磁性材料としては、Ｃｏ−Ｃｒ−Ｔａ系やＣｏ−Ｃｒ−Ｐｔ系が一般的である。Ｃｒ、ＴａおよびＰｔのような添加元素を結晶粒界に介在させることで、結晶粒間の相互作用を弱めて、記録ビット間の境界に複雑な磁壁が発生することを抑制し、記録層の保磁力および角形性を向上させることができる。
【０００４】
しかし、磁気ディスクの急速な高面記録密度化が現在求められているので、このまま記録密度の向上が進むと、１つの記録ビットの大きさが著しく微小になり、隣接する記録ビット間におけるフリンジングが問題となってくる。フリンジングとは、磁気ヘッドから発散する磁界によって生じる記録磁区端部の磁気的にじみである。
【０００５】
高面記録密度化に伴うこのような問題を解決する記録方式としては、パターンドメディアが提案されている。パターンドメディアとは、記録層をメッシュ状に区切ることで、磁性体をアイランド状に孤立させ、隣接するアイランド状の磁性間を非磁性体で埋めた構造を持つメディアである。パターンドメディアについては、例えば、特公平６−２８０９３号公報に記載されている。
【０００６】
【発明が解決しようとする課題】
パターンドメディアでは、ビット密度およびトラック密度を高くしていくことが可能である。しかし、トラック密度を上げていくと、ヘッドの位置決めが難しくなる。また、パターンドメディアでは最小磁化反転単位を構成する微小な磁性体の位置に対して、記録磁界の印加が必要となるので、記録タイミング制御が難しくなる。
【０００７】
そこで、本発明では、このような事情を鑑み、非磁性領域を挟んで最小磁化反転単位が配列して形成される記録トラックを有するパターンドメディアにおいて、ヘッドの位置決めおよび記録タイミング制御が容易にできることを目的とする。
【０００８】
【課題を解決するための手段】
上記の目的は、下記（１）〜（６）の本発明により、達成される。
（１）最小磁化反転単位が非強磁性領域を挟んで二次元的に配列することにより、互いにほぼ平行な記録トラックが形成されており、記録トラック長さ方向および幅方向にそれぞれ等間隔で配列した複数の最小磁化反転単位が形成されており、特定のトラックに対し、それに隣接するトラックの最小磁化反転単位の設置位置は、記録トラック長さ方向において、該特定のトラックにおける隣接する最小磁化反転単位のほぼ中間位置とする磁気記録媒体。
（２）上記ほぼ中間位置は、上記特定トラックにおける隣接する最小磁化反転単位の中央から該最小磁化反転単位間の距離の多くとも１／６ずれた位置である（１）の磁気記録媒体。
（３）上記ずれた位置は、上記特定トラックに隣接する一方のトラックの最小磁化反転単位が磁気ヘッドの進行方向であるのに対し、他方のトラックにおいては、磁気ヘッドの反進行方向である（２）の磁気記録媒体。
（４）前記最小磁化反転単位が垂直磁気記録材料から構成される（１）ないし（３）の磁気記録媒体。
（５）（１）ないし（４）の磁気記録媒体に対し、磁気記録磁化情報の記録および再生を行う磁気記録再生方式。
（６）前記磁気記録媒体の互いに異なる複数の最小磁化反転単位に対し同時に記録を行い、前記磁気記録媒体の互いに異なる複数の最小磁化反転単位から同時に再生を行う（５）の磁気記録再生方式。
【０００９】
【発明の実施の形態】
本発明の磁気記録媒体の構成例を、図１と図２に示す。図１は、記録面の平面図であり、図２は図１の拡大図である。
【００１０】
この磁気記録媒体は、最小磁化反転単位１が非磁性領域２を挟んで二次元的に配列したパターンドメディアである。記録トラックは、上下方向に配列する最小磁化反転単位１により構成され、図示される記録トラックは互いに平行に配列している。
【００１１】
この最小磁化反転単位１は、記録トラック長さ方向、および記録トラック幅方向に、それぞれ等間隔で配列されている。
【００１２】
特定のトラックに対し、それに隣接するトラックの最小磁化反転単位１の設置位置は、記録トラック長さ方向において、該特定のトラックにおける隣接する最小磁化反転単位１のほぼ中間位置に配置されている。ところで、ここで言うほぼ中間位置とは、上記特定トラックにおける隣接する最小磁化反転単位１の中央から該最小磁化反転単位１間の距離の多くとも１／６ずれた位置を示す。最小磁化反転単位１の設置の好ましい位置について比較例含め、図３ないし図５を用いて説明する。
【００１３】
図３は、最小磁化反転単位１の設置位置が従来のように、記録トラック幅方向においても平行に配列している磁気記録媒体の構成例であり、図４は、特定のトラックに対し、それに隣接するトラックの最小磁化反転単位１の設置位置が、記録トラック長さ方向において、該特定のトラックにおける隣接する最小磁化反転単位１のちょうど中間位置に配置されている磁気記録媒体の構成例であり、図５は、特定のトラックに対し、それに隣接するトラックの最小磁化反転単位１の設置位置が、記録トラック長さ方向において、該特定のトラックにおける隣接する最小磁化反転単位１の中央から該最小磁化反転単位１間の距離の１／６ずれた位置に配置されている磁気記録媒体の構成例を示す。
【００１４】
磁気ヘッド３によるデータ記録時については、記録トラック幅方向に隣接する最小磁化反転単位１への誤記録を防止するためには、最小磁化反転単位１の設置位置は、図４の場合が最も好ましい。これは、記録トラック長さ方向からみても、記録トラック幅方向からみても、隣接する最小磁化反転単位１間は図３および図５と比べて、もっとも離れて配置されているので、磁気的影響をもっとも受けにくいからである。
【００１５】
また、磁気ヘッド３による再生時については、隣接する記録トラックからの位置誤差信号を最小磁化反転単位１と同様に検出することができるので、これを利用して磁気ヘッド３の位置を正確に捕らえながら再生することができる。この際に隣接する記録トラックの最小磁化反転単位１が図５のように配置されていると、特定トラックに隣接する一方のトラックの最小磁化反転単位１の位置が、磁気ヘッド３の進行方向にずれているとすると、他方のトラックにおいては、反対方向にずれているので、微小な再生タイミングのずれが生じ、誤検出を認識することが可能となる。これに対し、図３の場合は、全ての記録トラックの最小磁化反転単位１のタイミングが同じであり、図４の場合は、特定の記録トラックに隣接する両側の記録トラックのタイミングが同じであるので、図３においては、どの記録トラック上の最小磁化反転単位１なのか、また図４においてはどちらの記録トラック上の最小磁化反転単位１なのかが認識できず、正確な誤検出を認識するのは共に難しいと言える。
【００１６】
すなわち、特定トラックに隣接するトラックの最小磁化反転単位１の設置位置は、データ記録時には、図４の状態が好ましく、再生時には、図５の状態が好ましい。したがって、実際には、図４と図５の状態の間の任意の状態とすることができる。
【００１７】
本発明の磁気記録媒体に対して、記録再生を行う際には、記録トラック幅方向に並ぶ複数の最小磁化反転単位１に対し、同時に記録を行い、また、同時に再生を行う。このことにより、転送レートを著しく高くすることができる。
【００１８】
また、前記のように最小磁化反転単位１を配置することにより、記録時には、記録トラック幅方向において、オフトラックマージンの増大が可能となるので、隣接する最小磁化反転単位１への誤記録を防止することができると同時に、磁気ヘッド３から発生する記録磁界で重畳する記録トラック幅方向へのフリンジングを低減することができる。
【００１９】
再生時には、隣接する最小磁化反転単位１からの磁界による信号の誤検出を防止することができると同時に、記録トラック位置誤差信号をデータ記録部から抽出することができるので、記録効率を向上させることができる。
【００２０】
本発明では、最小磁化反転単位１を極めて高密度に配置することが可能となるので、高密度記録が可能な垂直磁気記録材料から最小磁化反転単位１を構成することが好ましい。
【００２１】
なお、本発明は、通常、磁気ディスクに適用される。磁気ディスクの記録トラックは、円形であるが、本発明における最小磁化反転単位１はディスク寸法に対し極めて小さいので、形状を特定しない。
【００２２】
本発明の磁気記録媒体では、すべての最小磁化反転単位１の配列間隔が同じである必要はない。例えば、本発明を磁気ディスクに適用した場合において、ロータリーアームにより、ヘッドの位置決めを行う場合には、ディスクが外周部の最小磁化反転単位１と内周部の最小磁化反転単位とで配列間隔を変える必要が生じることもある。このような場合には、記録トラック幅方向および記録トラック長さ方向の間隔の設定は、外周部と内周部とで独立に行ってもよい。
【００２３】
本発明において、上記した条件以外は特に限定されず、従来のパターンドメディアと同様であってよい。また、本発明の磁気記録媒体は、従来のパターンドメディアと同様にして製造することができる。例えば、垂直磁気記録材料を用いたパターンドメディアの製造方法は、J.Appl.Phys.81(8),15,4730-4732,April(1997)に記載されている。
【００２４】
【発明の効果】
本発明では、パターンドメディアの記録トラック長さ方向において、最小磁化反転単位をずらして配置することで、記録時には磁界による最小磁化反転単位への誤記録防止、再生時には磁界による最小磁化反転単位からの信号誤検出防止が可能となる。そのため、高密度記録および再生が容易となる。
【００２５】
また、記録時にはヘッドから発生するフリンジングからの影響を低減でき、再生時には記録トラック位置誤差信号をより確実に抽出することから、記録効率の向上が可能となる。
【図面の簡単な説明】
【図１】  本発明の磁気記録媒体の構成例を示す平面図である。
【図２】  本発明の磁気記録媒体の構成例を示す図１の拡大図である。
【図３】本発明の磁気記録媒体と磁気ヘッドの構成例を示す平面図（ずれ無し）である。
【図４】本発明の磁気記録媒体と磁気ヘッドの構成例を示す平面図（ずれが中間）である。
【図５】本発明の磁気記録媒体と磁気ヘッドの構成例を示す平面図（ずれが１／６）である。
【符号の説明】
１  最小磁化反転単位
２  非磁性領域
３  磁気ヘッド
【図１】
0004365520.tif 000002
【図２】
0004365520.tif 000003
【図３】
0004365520.tif 000004
【図４】
0004365520.tif 000005
【図５】
0004365520.tif 000006